(57)【要約】【課題】ユーザ装置において干渉となる制御チャネルの信号を低減する。【解決手段】複数の基地局を含む無線通信システムにおけるユーザ装置において、接続基地局から、前記ユーザ装置に対する干渉基地局からの干渉となる制御チャネルの信号を低減するために利用する制御情報を受信する受信手段と、前記制御情報を利用して、前記干渉となる制御チャネルの信号を低減し、前記接続基地局からの所望信号を取得する干渉低減手段とを備えて構成する。【選択図】図２７
2014150387.tif 000002
【特許請求の範囲】
【請求項１】
複数の基地局を含む無線通信システムにおけるユーザ装置であって、
接続基地局から、前記ユーザ装置に対する干渉基地局からの干渉となる制御チャネルの信号を低減するために利用する制御情報を受信する受信手段と、
前記制御情報を利用して、前記干渉となる制御チャネルの信号を低減し、前記接続基地局からの所望信号を取得する干渉低減手段と
を備えることを特徴とするユーザ装置。
【請求項２】
前記受信手段は、前記接続基地局から、下り物理チャネルにより送信される下り制御情報として前記制御情報を受信する、又は、前記接続基地局から、ＲＲＣシグナリングにより前記制御情報を受信する
ことを特徴とする請求項１に記載のユーザ装置。
【請求項３】
前記受信手段は、前記接続基地局から、ＲＲＣシグナリングにより前記制御情報を受信する場合において、前記干渉となる制御チャネルのうち、各ユーザ装置固有のリソースをサーチしてブラインド復号を行うことにより検出される制御チャネルに関し、当該制御チャネルの信号を低減するための情報の一部として、前記干渉基地局に接続するユーザ装置の識別情報を下り物理チャネルにより受信する
ことを特徴とする請求項２に記載のユーザ装置。
【請求項４】
前記干渉となる制御チャネルの信号を低減するために必要とする制御情報のうち、一部の情報を前記接続基地局から受信した制御情報を用いて推定する推定手段を備える
ことを特徴とする請求項１ないし３のうちいずれか１項に記載のユーザ装置。
【請求項５】
前記干渉低減手段は、干渉信号のチャネル推定に基づく干渉抑圧合成受信を行う手段、又は、逐次干渉キャンセルを行う手段である
ことを特徴とする請求項１ないし４のうちいずれか１項に記載のユーザ装置。
【請求項６】
無線通信システムにおいてユーザ装置と接続する基地局であって、
前記ユーザ装置に対する干渉基地局からの干渉となる制御チャネルの信号を低減するために前記ユーザ装置において利用される制御情報を、前記干渉基地局から受信する受信手段と、
前記制御情報を、下り物理チャネルにより下り制御情報として前記ユーザ装置に送信する、又は、前記制御情報をＲＲＣシグナリングにより前記ユーザ装置に送信する送信手段と
を備えることを特徴とする基地局。
【請求項７】
前記送信手段は、ＲＲＣシグナリングにより前記制御情報を前記ユーザ装置に送信する場合において、前記干渉となる制御チャネルのうち、各ユーザ装置固有のリソースをサーチしてブラインド復号を行うことにより検出される制御チャネルに関し、当該制御チャネルの信号を低減するための情報の一部として、前記干渉基地局に接続するユーザ装置の識別情報を下り物理チャネルにより前記ユーザ装置に送信する
ことを特徴とする請求項６に記載の基地局。
【請求項８】
前記制御情報は、前記ユーザ装置において、干渉信号のチャネル推定に基づく干渉抑圧合成受信を行うために利用される情報、又は、逐次干渉キャンセルを行うために利用される情報
であることを特徴とする請求項６又は７に記載の基地局。
【請求項９】
複数の基地局を含む無線通信システムにおけるユーザ装置において実行される干渉低減方法であって、
接続基地局から、前記ユーザ装置に対する干渉基地局からの干渉となる制御チャネルの信号を低減するために利用する制御情報を受信する受信ステップと、
前記制御情報を利用して、前記干渉となる制御チャネルの信号を低減し、前記接続基地局からの所望信号を取得する干渉低減ステップと
を備えることを特徴とする干渉低減方法。
【請求項１０】
無線通信システムにおいてユーザ装置と接続する基地局が実行する干渉低減制御情報通知方法であって、
前記ユーザ装置に対する干渉基地局からの干渉となる制御チャネルの信号を低減するために前記ユーザ装置において利用される制御情報を、前記干渉基地局から受信する受信ステップと、
前記制御情報を、下り物理チャネルにより下り制御情報として前記ユーザ装置に送信する、又は、前記制御情報をＲＲＣシグナリングにより前記ユーザ装置に送信する送信ステップと
を備えることを特徴とする干渉低減制御情報通知方法。
【発明の詳細な説明】
【技術分野】
【０００１】
本発明は、無線通信システムの基地局とユーザ装置に関するものである。
【背景技術】
【０００２】
3GPP（Third Generation Partnership Project）におけるLTE（Long Term Evolution）Advanced等では、下りリンク通信に関して、接続基地局からの所望電波ビームに対する干渉基地局からの干渉電波ビームの干渉、及び接続基地局における他ユーザ向け信号による干渉を、ユーザ装置において低減（例：抑圧、除去）するための種々の技術が検討されている。
【０００３】
このような干渉を低減する技術では、例えば、図１に示すように、ユーザ装置１０が接続セル（接続基地局１のセル、serving cell）の境界付近に所在して、所望基地局１の隣の他の基地局２（干渉基地局）から干渉電波ビームを強く受ける場合に、ユーザ装置１０が干渉低減処理を行うことにより、所望電波ビームに載せられた所望信号の受信品質を向上させることができる。図１において干渉基地局２で生成されたビーム、すなわち他のユーザ装置（例えばユーザ装置１１）への下りチャネルのためのビームの一部がユーザ装置１０にとって干渉信号になる。なお、図１は、干渉セルからの干渉を特に示した図である。
【先行技術文献】
【非特許文献】
【０００４】
【非特許文献１】Axnas J. et. al. , "Successive Interference Cancellation Techniques for LTE Downlink,"  PIMRC 2011.
【非特許文献２】P. Hoeher et. al., "Two-dimensional pilot-symbol-aided channel estimation by Wiener filtering," Proc. ICASSP'97, 1997
【非特許文献３】3GPP, TS36.211
【非特許文献４】3GPP, TS36.213 9.1.2
【非特許文献５】3GPP, Renesas, R1-124396
【非特許文献６】3GPP,  R1-124594
【発明の概要】
【発明が解決しようとする課題】
【０００５】
本願には関連する先願（特願２０１２−２８８８９６）がある。先願（特願２０１２−２８８８９６）の実施の形態では、主に干渉となるデータチャネルの信号を低減する技術を開示しているが、後述する本願の実施の形態では、主に干渉となる制御チャネルの信号を低減する技術を開示する。いずれの技術も、接続セルにおける制御信号、及びデータ信号の受信品質向上を目的とする。
【０００６】
以下では、従来技術における干渉抑圧や除去（キャンセル）等の干渉低減のための技術の概要を説明し、本発明が解決しようとする課題について説明する。  
＜干渉抑圧合成受信＞
干渉信号と所望信号を含む受信信号から、所望信号を分離し、取得するための技術の１つとして、干渉抑圧合成(Interference Rejection Combining)と呼ばれる技術がある。干渉抑圧合成（IRC）は、下りリンク通信に関して、接続基地局からの所望電波ビームに対する干渉基地局からの干渉電波ビームの干渉、及び接続基地局における他ユーザ向け信号による干渉を、ユーザ装置で抑圧するように、ユーザ装置において各受信アンテナで得られる信号に重み付け（受信ウェイト）を与える技術である。
【０００７】
図２に示すように、IRC受信技術では、干渉信号のチャネルが推定可能な場合と、干渉信号のチャネルが推定不可能な場合とで、２種類（Type 1、Type 2)の受信ウェイトの算出方法がある。なお、図２に示す式はいずれもＭＭＳＥ（最小平均二乗誤差）アルゴリズムから導き出される式である。また、これらの式で受信ウェイトを計算する技術自体は既存技術である。
【０００８】
図２の中に示すように、干渉信号のチャネル推定が可能な場合のType 1の式において、下線で示した部分が干渉セルのチャネル行列で構成される共分散行列である。また、干渉信号のチャネル推定が不可能な場合のType 2の式において、下線で示した部分が接続セル（接続基地局により構成されるセル、serving cell）からの受信信号から推定される雑音干渉成分の共分散行列（統計量）である。後述する本発明の実施の形態では、IRC Type 1、Type 2のうち、Type 1を対象とする。以下でIRCと記述した場合、それはIRC Type 1を意味する。
【０００９】
＜逐次干渉キャンセル＞
IRCの他、干渉信号と所望信号を含む受信信号から、所望信号を分離するための技術として逐次干渉キャンセル（SIC: Successive Interference Cancellation)の技術がある。
【００１０】
逐次干渉キャンセルは、受信信号から干渉信号の硬判定もしくは軟判定によるレプリカ信号を作成し、受信信号からレプリカ信号を逐次的に減算（除去）することにより、所望信号を抽出する技術である。ユーザ装置において逐次干渉キャンセルを行う場合の機能構成例（硬判定の例）を図３に示す。図３に示すように、複数の干渉信号毎に、干渉信号のチャネル推定を行い、当該チャネル推定に基づき干渉信号の復調を行って、干渉信号のレプリカを作成し、逐次受信信号から減算する。
【００１１】
なお、逐次干渉キャンセラの構成自体は既存技術である。逐次干渉キャンセラの構成としては、図３に示した構成の他にも様々なものが存在する。例えば、図４に示すように、ターボ等化を用いた逐次干渉キャンセルを行う構成がある。図４に示す構成は、非特許文献１に示されている構成である。図４に示す構成もターボ等化を用いる構成の一例である。本願発明は、干渉セルのチャネル推定を行い、干渉信号の復調を行う機能を含む逐次干渉キャンセラであれば、その方式によらずに適用可能である。
【００１２】
＜IRC/SICのために必要となる情報の概要＞
前述したように、本願では、主に干渉信号の制御チャネル(PDCCH, etc..)を低減可能な方法を示している。
【００１３】
IRCを行うためには、干渉信号のチャネル推定値 (CRS or DM-RS based)、干渉となっている制御チャネルの情報(もしくはNull情報)が必要である。また、SICについては、上記IRCのために必要な情報に加えて、硬/軟判定レプリカ信号（復調信号）を求めるための情報が必要である。つまり、図５に例示するように、干渉となる制御チャネルについての上記情報がリソースエレメント（Resource Element）毎に必要となる。
【００１４】
ここで、制御チャネルは、RANK1固定、多値変調（QAM）がない (QPSK or BPSKのみ)、TM(Transmission Mode)がない (どのTMでも開ループ型送信ダイバーシチ(SFBC)にて送信される）、CRSにより復調される（ただしePDCCHは後述するようにDM-RSによっても復調される）、という点でデータチャネルと異なる。
【００１５】
＜下りリンク制御チャネルについて＞
IRC/SICのために必要となる情報を詳細に説明する前に、下りリンク制御チャネル（以下、単に制御チャネルと呼ぶ）について説明する。
【００１６】
まず、制御チャネルの種類及び送信される情報について説明する。LTE-Advancedにおいて規定されている制御チャネルとしては、PCFICH（Physical Control Format Indicator Channel）、PHICH（Physical Hybrid-ARQ Indicator Channel）、PDCCH（Physical Downlink Control Channel）、ePDCCH (enhanced PDCCH)がある。
【００１７】
PCFICHは、制御信号が先頭何OFDMシンボルかを示す情報(1~3、2bit)であるCFI (Control Format Indicator)を送信する。PHICHは、上りデータチャネル(PUSCH)を受信した場合のAck/Nack (1 or 0、1bit)であるHI (HARQ Indicator)を送信する。
PDCCH、及びePDCCH (enhanced PDCCH)は、DCI (Downlink Control Information) :を送信する。DCI は、DL及びULのデータチャネル送信に必要な制御情報 (リソース割り当て情報、変調方式、etc)であり、そのbit数は、使用するDCI formatによって異なる。
【００１８】
次に、下り制御チャネルのマッピング（mapping）について説明する。図６に例示するように、PCFICH、PHICH、PDCCHは各サブフレーム（subframe）の先頭数OFDMシンボルにマッピングされる。マッピングされるOFDMシンボル数Ｎは1〜3であり、CFIによって通知される。ePDCCHはデータチャネル（PDSCH）にマッピングされる（詳細は後述する）。
また、PCFICH、PHICH,、PDCCHは4つのリソースエレメント（Resource element）から構成されるREGを最小単位としてリソースの割り当てを行う。ePDCCHはeREG (enhanced REG)を最小単位として割り当てられるが、詳細は後述する。
【００１９】
図７に、2 Tx（送信アンテナ）、3OFDMシンボルが制御チャネルに割り当てられた場合(CFI=3)のREGの一例を示す。
【００２０】
以下、各制御チャネルの詳細、およびIRC Type 1/SICを用いて干渉信号の各制御チャネルの抑圧/除去（キャンセル）を行うために必要な情報を詳細に説明する。
【００２１】
＜IRC Type 1のために必要となる情報＞
IRC Type 1でのIRC受信ウェイト生成のためには、干渉信号に対するチャネル行列が必要であり、当該チャネル行列は、干渉セルからの参照信号を用いてチャネルを推定することにより得られる。
【００２２】
LTE-Advanced等において、チャネル推定に用いることのできる参照信号として、CRS(Cell-specific Reference Signal、セル固有参照信号)、CSI-RS (CSI Reference Signal、CSI参照信号)、DM-RS (DeModulation Reference Signal、復調参照信号、もしくはUE specific Reference Signal）があるが、本願では、PCFICH、PHICH、PDCCHに関してCRSを用い、ePDCCHに関してDM-RSを用いる。
【００２３】
ここで、ユーザ装置におけるチャネル推定処理概要について図８のフローチャートを参照して説明する。
【００２４】
ステップ１０１では、送信された参照信号についての系列初期値の計算を行う。参照信号がCRSの場合、系列初期値の計算を行うために、PCID（Physical Cell ID）、スロット番号、NCP、MBSFN configurationが必要となる。ここで、NCPは、CP(Cyclic Prefix)長がNormalかExtendedかを示す値であり、０か１である。
【００２５】
ステップ１０２では、ステップ１０１で計算した系列初期値からスクランブリング系列の計算を行う。ステップ１０１，１０２により、送信された参照信号系列の特定がなされる。
【００２６】
ステップ１０３では、参照信号がMappingされたリソースの特定を行う。ここでは、参照信号がCRSの場合、システム帯域幅、アンテナport数、MBSFN configurationが必要になる。
【００２７】
参照信号のMappingは、システム帯域幅、アンテナport数等、上記の情報に応じて規定されているため、上記の情報が必要となる。レイヤ数１の場合におけるCRSのマッピング例を図９に示す。
【００２８】
図８に戻り、ステップ１０４では、参照信号に対するチャネル推定を行う。ここでは、いずれの参照信号の場合も、Power boostingがされている場合にそれを補正する必要があるため、Power boosting情報が必要になる。Power boosting情報とは参照信号とデータ信号の電力比である。
【００２９】
ステップ１０５では、ステップ１０４で得られた推定結果に基づいて、全リソースに対するチャネル推定を行う。ここでは、例えば、非特許文献２に記載された２次元MMSEチャネル推定フィルタを利用する。
【００３０】
CRSを用いてチャネル推定を行うために必要な情報をまとめたものを図１０に示す。図１０に示すように、CRSを用いてチャネル推定を行うために必要な情報のうち、PCIDとスロット番号以外は、ユーザ装置における推定が困難な情報である。なお、ePDCCH内のDM-RSによるチャネル推定に必要な情報については、ePDCCH抑圧のために必要な情報の説明の中で説明する。
【００３１】
ここで、IRC受信ウェイト生成のためには、チャネル推定値に加えて、干渉信号における割り当て情報が別途必要である。その理由は以下のとおりである。
【００３２】
接続セルのユーザ装置にとって、干渉セルで制御チャネルが割り当てられる場合に、その制御チャネルの信号が干渉信号となる。従って、IRCを実行するユーザ装置は、制御チャネルの割り当てがあるリソースにのみヌルを向けるようにIRCウェイトの算出を行う。
【００３３】
つまり、接続セルでユーザ装置にデータや制御チャネル受信のために割り当てられたリソースと同じリソースにおける干渉セルからの信号が干渉信号となるので、この干渉信号を抑圧するために、干渉信号におけるリソース割り当て情報が必要になる。以下では、IRC Type1における制御チャネル抑圧のための必要な情報について、制御チャネル毎に説明する。
【００３４】
（１）PCFICH抑圧のために必要な情報
前述したように、PCFICHは、制御信号が先頭何OFDMシンボルかを示すCFIを送信するチャネルである。図１１に示すように、PCFICHは、各サブフレームの先頭のOFDMシンボルに多重されて必ず送信される。用いるREG数は4個であり、システム帯域幅全体にほぼ等間隔となるようにマッピングされる。
【００３５】
PCFICH抑圧のためには、PCFICHがマッピングされているREGの特定のための情報（非特許文献３）（PCID、システム帯域幅）、PCFICH power boosting情報、及びPCFICHにおけるチャネル推定値(CRS based)が必要である。チャネル推定値を求めるには、図１０に示した情報が必要である。
（２）PHICH抑圧のために必要な情報
PHICHはAck/Nackを送信するチャネルであり、先頭のOFDMシンボルのみ(normal duration) （図１２）、あるいは2~3 OFDMシンボルに渡って多重されて送信される（extended duration）（図１３）。以下、PHICHのリソース割り当て方法についてより詳細に説明する。
【００３６】
PHICHにはPHICH groupという概念が存在する。図１４に示すように、１つのPHICH groupは３つのREGによって構成され、周波数ダイバーシチゲインを得るためにシステム帯域全体に等間隔にマッピングされる。
【００３７】
また、図１５に示すように、1つのPHICH groupあたり、直交系列（Walsh Hadamard系列）を用いて最大8個のPHICHが多重される (I相, Q相それぞれ4多重ずつ)。ここで、どの直行系列を用いるかはPHICH sequenceによって決定される。
また、各ユーザ装置が使用するPHICH groupおよびPHICH sequenceは、基本的に上りリンクデータチャネル(PUSCH)が割り当てられているリソースブロック（RB）のうち最も若番のRB番号により一意に決定される（非特許文献4）。ただし、一部のPHICH groupに集中しないように、上りリンクのReference signalに用いるCyclic shift量によって意図的にgroupやsequenceを変更することが可能である。
PCFICHと同様に、PHICHの抑圧のためには、PHICHがMappingされているREGの特定のための情報(非特許文献３）、PHICH power boosting情報、PHICHにおけるチャネル推定値が必要である。PHICHがMappingされているREGを特定するために、PCID、CP長（NCP）、PHICH group、PHICH duration (normalの場合は1、extendedの場合は2もしくは3)が必要であり、extended durationの場合はさらにframe structure type(1=FDD or 2=TDD)、MBSFN subframeかどうかの情報が必要である。  
PHICHにおけるチャネル推定値を求めるには、図１０に示した情報が必要である。
（３）PDCCH抑圧のために必要な情報
PDCCHは、各サブフレームの先頭数OFDMシンボル（CFIで指定される）のうち、PCFICH、PHICH以外のリソースに対してMappingされる。PDCCHの割り当てのために、PCFICH、PHICH以外のREGに番号付けがなされ、PDCCHの割り当て最小単位は、連続する9個のREG である（これをCCE（Control Channel Element）と呼ぶ）。図１６に、CFI=２の場合のREG順番付けの例を示す。REG０〜８が１つのCCEを構成する。
1つのDCIをいくつのCCEに割り当てるかは、アグリゲーションレベル（Aggregation level）によって決定される。Aggregation levelは1,2,4,8の4種類であり、各値が割り当てるCCEの個数に対応する。また、Aggregation levelは接続しているユーザ装置からフィードバックされるCQIを元に、受信品質が良い場合は低く、受信品質が悪い場合は高くなるようにユーザ装置毎に設定される。図１７に示すように、Aggregation levelがnの場合には、nの倍数となるCCE indexのみを開始地点としてリソースを割り当てる。これはユーザ装置（UE）のブラインドサーチ（Blind search）回数を減少させるための割り当て方法の制約(tree-based構造)による。ブラインドサーチについては後述する。
【００３８】
更に、ユーザ装置のブラインドサーチ回数を減らすためにサーチスペース（Search space）という探索エリアが設定される。Search spaceには、Common search spaceとUE-specific search space(ユーザ装置固有のリソース）がある。
Common search spaceは、全ユーザ装置（UE）が共通でサーチするエリアである。割り当てられるCCEは0 -15の16CCEの区間であり、またAggregation levelは4、8に限定される。
UE-specific search spaceは、各ユーザ装置（UE）が固有にsearchするエリアであり、割り当てられるCCEの範囲はサブフレーム（subframe）番号、UE-ID （ユーザ装置の識別情報）により各UE毎に一意に決定される。Aggregation levelは1, 2, 4, 8であり限定はない。Common search spaceとUE-specific search spaceの割り当て例を図１８に示す。
次に、PDCCHの復号方法(Blind復号)について説明する。
各ユーザ装置（UE）は自分宛てのPDCCHがどのCCEに割り当てられているか、および、どのAggregation level、DCI formatが選択されているかがわからないため、総当りでBlind復号する。PDCCHで送信するDCIにはCRCが付加されており、これにより誤り検出を行うが、CRC bitに各ユーザ装置（UE）のUE-IDをマスキング（masking）しているため、自分宛てのPDCCHのみ検出（復号）可能となる。自分のUE-ID以外でmaskingされている他人宛のPDCCHは復号不可である。
より詳細には、Common search spaceにおけるBlind復号では、Common search space内の割り当てられる可能性のあるCCEを全探索する。すなわち、「Aggregation level = 4, 8の2種類 × 想定される全DCI format」の復号を試みる。
UE-specific search spaceにおける復号では、各ユーザ装置（ＵＥ）は自分のUE-specific search spaceを計算し、そのUE-specific search space内で考えられるPDCCH候補の復号を行う。すなわち、「Aggregation level = 1, 2, 4, 8の4種類 × 想定される全DCI format」の復号を試みる。
上記のような特性を有するPDCCHの抑圧のためには、どこまでが制御チャネルかを示すCFI、PDCCH内のUEが割り当てられているCCEの特定（Blindで検索）のための情報、PDCCHにおけるチャネル推定値が必要である。
PDCCH内のUEが割り当てられているCCEの特定のためには、割り当てられている全UEのUE-ID、Common search space情報、割り当てられている全UEのUE-specific search space情報が必要である。ここで、全UEのUE-specific search spaceの算出のためには、絶対sub-frame番号が必要であるが、同期ＮＷの場合は自セルとの差分でもよい。割り当てられている全UE分のUE-IDを元に干渉信号のPDCCHの割り当てを全てBlindで検出することでPDCCH内のUEが割り当てられているCCEの特定を行うことができる。
PDCCHにおけるチャネル推定値を求めるには、図１０に示した情報が必要である。
【００３９】
（４）ePDCCH抑圧のために必要な情報
ePDCCH (enhanced PDCCH)は、3GPPのリリース１１以降において、PDCCHの容量がMU-MIMOのスループット特性に与える影響を考慮し、PDCCHの拡張として定義されたチャネルである。
リリース１１のePDCCHにおいては、ローカライズドマッピング（Localized mapping）（図１９）とディストリビューティッドマッピング（Distributed mapping）（図２０）の2つのマッピング方法がサポートされている。
Localized mappingでは、DCIを1 ePDCCH resource（1 PRB pair)に、またはその一部にマッピングする。Localized mapping では、CQIを用いることにより周波数スケジューリングゲインを得る。Distributed mappingでは、DCIを複数（あるいは全）ePDCCH resourceにマッピングする。これにより、周波数ダイバーシチゲインを得る。
また、ePDCCHでは、eREG (enhanced Resource Element Group)及びeCCE (enhanced Control Channel Element)が定義されている（非特許文献５）。
1 PRB pair (12subcarrier × 14 OFDM symbol) において16個のeREGが含まれるものとして定義されている。また、1 PRB pairにおいて1eCCEは4もしくは8個のeREGから構成されると定義されており、全eCCE数は、ePDCCH用に割当てられたPRB数により決定される。
1eCCEが4個のeREGにより構成されるケースは、normal subframe (normal CP) もしくはspecial subframe configs 3,4,8 (normal CP) に該当し、1eCCEが8個のeREGにより構成されるケースは、special subframe configs 1,2,6,7,9 (normal CP)、normal subframe (extended CP) and special subframe configs 1,2,3,5,6 (extended CP)に該当する。４個のeREGにより構成される例を図２１に示す。なお、DCIのeCCEへの割り当て方法については、eCCEをCCEとみなしてPDCCHの割り当て方法をリユースすることとしている。
前述したとおり、ePDCCHはUE-specificな制御信号であり、DM-RSによりデータ復調を行う。ePDCCH内のDM-RSによるチャネル推定のために必要な情報として以下の情報が必要である。
【００４０】
すなわち、系列初期値の計算のためにDM-RS スクランブリング初期系列値
【００４１】
【数１】
2014150387.tif 000003
と、
【００４２】
【数２】
2014150387.tif 000004
が必要であり、Mapping情報として、CP長、スロット番号、アンテナポート数p∈｛107,108,109,110｝、ePDCCHの割り当てられたRB数が必要である。
ここで、ePDCCHが割り当てられているsubframeおよびPRB pair（PRBペア）の特定のために図２２に示す情報がRRCにてユーザ装置（UE）に通知されることとされており、DM-RSスクランブリング初期系列値はこれによりUEに通知される（非特許文献６）。ただし、図２２は通知される情報のうち、制御チャネルの干渉信号抑圧のために必要な情報を示している。また、
【００４３】
【数３】
2014150387.tif 000005
は定数（＝２）であり、既知である。
上記の性質を持つePDCCHの抑圧のためには、ePDCCHが割り当てられているsubframeおよびPRB pairを特定するための情報、ePDCCH内のユーザ装置（UE）が割り当てられているeCCEを特定するための情報、ePDCCHにおけるチャネル推定値 (DM-RS based)が必要である。
より詳細には、ePDCCHが割り当てられているsubframeおよびPRB pairの特定のためには、図２２に示したRRC signaling情報（一部不要）が必要である。また、ePDCCH内のユーザ装置（UE）が割り当てられているeCCEの特定のためには、割り当てられている全UEのUE-ID、Common search space情報（現状ではePDCCHはUE-specific search spaceのみ定義されている）、割り当てられている全UEのUE-specific search space情報が必要である。また、sub-frame番号が必要であるが、同期ＮＷの場合は自セルとの差分でよい。割り当てられている全UE分のUE-IDを元に干渉信号のePDCCHの割り当て（eCCE）を全てBlindで検出する。
ePDCCHにおけるDM-RSベースのチャネル推定のために必要な情報は前述したとおりである。当該情報をまとめたものを図２３に示す。
【００４４】
＜SICのために必要となる情報＞
上記のとおり、逐次干渉キャンセルを行うためには、全干渉信号に対するレプリカ信号を生成することが必要であり、そのためには、まず、各干渉信号に対してのチャネル推定を行うための情報が必要である。これは、各制御チャネルにおいて前述したIRC Type 1で必要とする情報と同じである。SICでは、干渉信号の復調のために先に述べたIRC Type 1のために必要となる情報に加え、更に追加の情報が必要となる。この追加情報について、各制御チャネル毎に説明する。
【００４５】
（１）PCFICHのキャンセルのために必要な情報
抑圧のために必要な情報に加え、復調のためにスクランブリング系列初期値が必要であり、そのためにPCID、スロット番号(ns)が必要である。ただしこれらは先に述べた通りIRC Type 1のために必要となる情報に含まれているため、追加的な情報は必要ない。なお、変調方式はQPSK固定である。
【００４６】
（２）PHICHのキャンセルのために必要な情報
抑圧のために必要な情報に加え、復調のためにスクランブリング系列初期値、及び割り当てられている各UEが使用している直交系列の特定が必要である。スクランブリング系列初期値を求めるために、PCID、スロット番号(ns)が必要であるが、先に述べた通りIRC Type 1のために必要となる情報に含まれているため、追加的な情報は必要ない。また、各UEが使用している直交系列の特定のためには、割り当てられているUEのPHICH sequenceが必要である。なお、変調方式はBPSK固定である。
（３）PDCCHのキャンセルのために必要な情報
PDCCH内のUEが割り当てられているCCEの特定と送信データの復号が必要となるが、Blindで復号するため前述した抑圧の場合と同じ情報でよい。なお、変調方式はQPSK固定である。
（４）ePDCCHのキャンセルのために必要な情報
ePDCCH内のUEが割り当てられているCCEの特定と送信データの復号が必要となるが、Blindで復号するため前述した抑圧の場合と同じ情報でよい。なお、変調方式はQPSK固定である。
＜制御チャネルの低減に必要な情報まとめ＞
これまでに説明したように、制御チャネルの低減に必要な情報として、チャネル推定のために必要な情報と、割り当てに関する情報がある。チャネル推定のために必要な情報は図１０（非特許文献３のSection6.10等）、及び図２３に示したとおりである。割り当てに関する情報をまとめたものを図２４に示す。
【００４７】
これらの制御チャネルの低減に必要な情報のうち、PCID及びスロット番号のみ既知情報（PSS/SSSより推定可能）であり、その他の情報は推定困難な情報である。
【００４８】
上述したように、現状のLTE-Advanced等の制御信号構成では、干渉となる制御チャネルに対し、干渉低減能力が高いIRC type 1及びSICを行うためには、ユーザ装置において不足している情報があるので、ユーザ装置においてIRC type 1及びSICを行うことが難しい。
【００４９】
本発明は上記の点に鑑みてなされたものであり、ユーザ装置において、干渉となる制御チャネルの信号に対し、高い干渉低減能力を備えることを可能とする技術を提供することを目的とする。  
【課題を解決するための手段】
【００５０】
上記の課題を解決するために、本発明は、複数の基地局を含む無線通信システムにおけるユーザ装置であって、
接続基地局から、前記ユーザ装置に対する干渉基地局からの干渉となる制御チャネルの信号を低減するために利用する制御情報を受信する受信手段と、
前記制御情報を利用して、前記干渉となる制御チャネルの信号を低減し、前記接続基地局からの所望信号を取得する干渉低減手段とを備えることを特徴とするユーザ装置として構成される。
【００５１】
前記受信手段は、例えば、前記接続基地局から、下り物理チャネルにより送信される下り制御情報として前記制御情報を受信する、又は、前記接続基地局から、ＲＲＣシグナリングにより前記制御情報を受信する。
【００５２】
前記受信手段は、前記接続基地局から、ＲＲＣシグナリングにより前記制御情報を受信する場合において、前記干渉となる制御チャネルのうち、各ユーザ装置固有のリソースをサーチしてブラインド復号を行うことにより検出される制御チャネルに関し、当該制御チャネルの信号を低減するための情報の一部として、前記干渉基地局に接続するユーザ装置の識別情報を下り物理チャネルにより受信するようにしてもよい。
【００５３】
前記干渉となる制御チャネルの信号を低減するために必要とする制御情報のうち、一部の情報を前記接続基地局から受信した制御情報を用いて推定する推定手段を備えるようにしてもよい。
【００５４】
前記干渉低減手段は、例えば、干渉信号のチャネル推定に基づく干渉抑圧合成受信を行う手段、又は、逐次干渉キャンセルを行う手段である。
【００５５】
また、本発明は、無線通信システムにおいてユーザ装置と接続する基地局であって、
前記ユーザ装置に対する干渉基地局からの干渉となる制御チャネルの信号を低減するために前記ユーザ装置において利用される制御情報を、前記干渉基地局から受信する受信手段と、
前記制御情報を、下り物理チャネルにより下り制御情報として前記ユーザ装置に送信する、又は、前記制御情報をＲＲＣシグナリングにより前記ユーザ装置に送信する送信手段とを備えることを特徴とする基地局として構成することもできる。
【００５６】
前記送信手段は、ＲＲＣシグナリングにより前記制御情報を前記ユーザ装置に送信する場合において、前記干渉となる制御チャネルのうち、各ユーザ装置固有のリソースをサーチしてブラインド復号を行うことにより検出される制御チャネルに関し、当該制御チャネルの信号を低減するための情報の一部として、前記干渉基地局に接続するユーザ装置の識別情報を下り物理チャネルにより前記ユーザ装置に送信するようにしてもよい。
【００５７】
また、本発明は、前記ユーザ装置において実行される干渉低減方法、前記基地局が実行する干渉低減制御情報通知方法として構成することもできる。
【発明の効果】
【００５８】
本発明によれば、ユーザ装置において、干渉となる制御チャネルの信号に対し、高い干渉低減能力を備えることを可能とする技術を提供することができる。
【図面の簡単な説明】
【００５９】
【図１】干渉セルからの干渉の低減を説明するための図である。
【図２】干渉抑圧合成（IRC)受信を説明するための図である。
【図３】SICを行うユーザ装置の機能構成例を示すブロック図である。
【図４】ターボ等化を用いるSICの機能構成例を示すブロック図である。
【図５】IRC/SICのために必要な情報概要を説明するための図である。
【図６】下り制御チャネルのマッピングの概要を示す図である。
【図７】REGの例を示す図である。
【図８】チャネル推定処理の概要を説明するためのフローチャートである。
【図９】CRSのマッピング例を示す図である。
【図１０】CRSを用いてチャネル推定を行うために必要な情報を示す図である。
【図１１】制御チャネルの割り当てを示す図である。
【図１２】PHICHが先頭のOFDMシンボルのみに割り当てられた例を示す図である。
【図１３】PHICHが２〜３のOFDMシンボルに割り当てられた例を示す図である。
【図１４】PHICH groupを示す図である。
【図１５】normal CPにおけるPHICH groupを示す図である。
【図１６】CFI=2の場合におけるREGの順番付けの例を示す図である。
【図１７】Aggregation levelの例を示す図である。
【図１８】PDCCHのサーチスペースの例を示す図である。
【図１９】ePDCCHにおけるLocalized mappingの例を示す図である。
【図２０】ePDCCHにおけるDistributed mappingの例を示す図である。
【図２１】1eCCEが4個のeREGにより構成されるケースを示す図である。
【図２２】干渉信号抑圧のために、ePDCCHが割り当てられているsubframeおよびPRB pairの特定のために必要な情報を示す図である。
【図２３】ePDCCHにおけるDM-RSベースのチャネル推定のために必要な情報である。
【図２４】制御チャネルの低減に必要な情報を示す図である。
【図２５】パターン１の例とパターン３の例を示す図である。
【図２６】パターン２の例とパターン４の例を示す図である。
【図２７】本発明の実施の形態に係る無線通信システムの概要構成図である。
【図２８】干渉セルの制御チャネルを抑圧するために必要な情報を事前通知することが必要であることを示す図である。
【図２９】干渉セルの制御チャネルを抑圧するために必要な情報を事前通知することを示す図である。
【図３０】実施例１−１におけるDCIフォーマット例を示す図である。
【図３１】実施例１−１における処理を説明するための図である。
【図３２】DCIに含めることが必須である情報と、含めることが必須ではない（任意である）情報を示す図（１／２）である。
【図３３】DCIに含めることが必須である情報と、含めることが必須ではない（任意である）情報を示す図（２／２）である。
【図３４】実施例１−２における処理を説明するための図である。
【図３５】第１の実施の形態におけるシステム構成図である。
【図３６】第１の実施の形態におけるシステムの動作を説明するためのシーケンス図である。
【図３７】第２の実施の形態の概要を示す図である。
【図３８】RRC signalingにおける問題を説明するための図である。
【図３９】UE-IDの増分だけDynamicに通知する方法を説明するための図である。
【図４０】実施例２−２の処理を示す図である。
【図４１】第２の実施の形態におけるシステム構成図である。
【図４２】第２の実施の形態におけるシステムの動作を説明するためのシーケンス図である。
【図４３】第２の実施の形態におけるシステムの動作を説明するためのシーケンス図である。
【図４４】第３の実施の形態においてSICを動作可能とするために必要となる情報を説明するための図である。
【図４５】第３の実施の形態においてDynamicに通知を行う場合のシステム構成図である。
【図４６】第３の実施の形態においてDynamicに通知を行う場合のシーケンス図である。
【図４７】第３の実施の形態においてSemi-staticに通知を行う場合のシステム構成図である。
【図４８】第３の実施の形態においてSemi-staticに通知を行う場合のシーケンス図である。
【図４９】第３の実施の形態においてSemi-staticに通知を行う場合のシーケンス図である。
【発明を実施するための形態】
【００６０】
以下、図面を参照して本発明の実施の形態を説明する。なお、以下で説明する実施の形態は一例に過ぎず、本発明が適用される実施の形態は、以下の実施の形態に限られるわけではない。
【００６１】
（実施の形態の適用範囲について）
干渉低減は、自身（接続セル）の制御信号(ePDCCH含む)の受信品質向上のため、及び、自身のデータ信号(PDSCH)の受信品質向上のために行われる。そして、自身の制御信号(ePDCCH含む)の受信品質向上のために干渉となる制御チャネル(ePDCCH含む)を低減するパターン１、自身の制御信号(ePDCCH含む)の受信品質向上のために干渉となるデータ信号(PDSCH)を低減するパターン２、自身のデータ信号(PDSCH)の受信品質向上のために干渉となる制御チャネル(ePDCCH含む)を低減するパターン３、自身のデータ信号(PDSCH)の受信品質向上のために干渉となるデータ信号(PDSCH)を低減するパターン４がある。
【００６２】
パターン１の例とパターン３の例を図２５に示し、パターン２の例とパターン４の例を図２５に示す。本願の実施の形態はパターン１とパターン３（図２５）を対象とするが、本願発明はこれらのパターンに限定されるわけではない。また、先願（特願２０１２−２８８８９６）の実施形態は、パターン２とパターン４（図２６）を対象とするが、先願発明はこれらのパターンに限定されるわけではない。
【００６３】
（実施の形態の概要）
上述したように、現状のLTE-Advanced等の制御信号構成では、干渉となる制御信号に対し、干渉低減能力が高いIRC type 1及びSICを行うためには、ユーザ装置において不足している情報があるので、ユーザ装置においてIRC type 1及びSICを行うことが難しい。
【００６４】
以下、上記の問題を解決する技術として、まず、IRC type 1 を動作可能とするために、ユーザ装置にて必要となる情報をNW側からダイナミック(Dynamic)に通知することを基本とした実施の形態を第１の実施の形態として説明する。次に、IRC type 1 を動作可能とするために、ユーザ装置にて必要となる情報をNW側からセミスタティック(Semi-static)に通知することを基本とした実施の形態を第２の実施の形態として説明する。
【００６５】
また、SICを動作可能とするために必要となる情報をNW側から通知することを基本とした実施の形態を第３の実施の形態として説明する。
【００６６】
（第１の実施の形態）
図２７に、本実施の形態に係る無線通信システムの概要構成図を示す。本実施の形態に係るシステムは、例えばLTE-Advanced方式の無線通信システムであり、基地局２００（eNodeB）（接続基地局）が接続セルを形成し、セル内のユーザ装置１００（UE）が接続基地局２００と所望信号による通信を行う。本実施の形態の無線通信システムは、少なくともLTE-Advancedで規定されている機能を含む。ただし、本発明はLTE-Advancedの方式に限定されるわけではなく、現状のLTE-Advanced以外の方式にも適用可能である。
【００６７】
通常、無線通信システムには、多くの基地局が備えられるが、図２７には、接続基地局２００と、これに隣接する基地局３００が示されている。この隣接する基地局３００もセルを形成し、当該基地局３００を接続基地局とするユーザ装置１１０と信号の送受信を行う。この隣接する基地局３００から当該基地局３００を接続基地局とするユーザ装置１１０に対して送信される制御チャネルの信号は、ユーザ装置１００にとって干渉信号となる。従って、本実施の形態では、当該隣接する基地局３００を干渉基地局と呼ぶ。また、干渉基地局３００におけるセルを干渉セルと呼ぶ。接続基地局に対する干渉基地局は複数であるのが一般的であるが、図２７では１つのみの干渉基地局を示している。
【００６８】
第１の実施の形態では、図２７に示すとおり、接続基地局２００がユーザ装置１００に対し、物理レイヤの制御信号を伝送する制御チャネルもしくはデータチャネル（これらを総称して下り物理チャネルと呼ぶことができる）を利用して、ダイナミックにIRC Type 1を実行するために必要とする情報を通知することが基本である。物理レイヤの制御信号を伝送するチャネルは、例えば、PDCCH（物理下り制御チャネル）やPDSCH(物理下り共有チャネル、データチャネル)である。当該チャネルで伝送される制御信号は下り制御情報（DCI:Downlink Control Information)である。なお、IRC Type 1を実行するために必要とする情報とは、図１０、図２３、図２４等を参照して説明した情報、すなわち、干渉信号のチャネル推定のために必要な情報と干渉信号の割り当て情報である。以下、IRC Type 1を実行するために必要とする情報のことをIRC Type 1必要情報と呼ぶ場合がある。
【００６９】
また、図２８に示すように、本実施の形態において、接続セルと干渉セルの制御チャネル同士が重なる場合があるため、干渉セルの制御チャネルの信号を抑圧するために必要な情報を事前通知する必要がある。
【００７０】
従って、本実施の形態では、図２９に示すように、IRC Type 1必要情報を過去のsubframeの制御チャネル (PDCCH or ePDCCH等)もしくはデータチャネルで事前に通知することとしている。ただし抑圧したい対象がePDCCHの信号のみの場合、同期ＮＷかつ接続セルのCFI=干渉セルのCFIならば事前通知しなくともよい。抑圧したい対象であるePDCCHを受信する前に、制御チャネルでIRC Type 1必要情報を受信可能だからである。
【００７１】
以下、第１の実施の形態をより具体的な実施例を用いて説明する。なお、装置構成（機能ブロック）及び当該構成に基づく動作については各実施例の説明の後に説明する。
【００７２】
＜実施例１−１＞
実施例１−１では、基本的に、接続基地局２００が、IRC Type 1を実行するために必要とする情報の全てを制御チャネル（PDCCH、ePDCCH等）もしくはデータチャネルでユーザ装置１００に通知する。すなわち、IRC Type 1必要情報をDCI（Downlink Control Information)のフォーマットの中に記載し、これをユーザ装置１００に通知する。
【００７３】
なお、接続基地局２００がユーザ装置１００に対する干渉セルを決定する方法は、本発明においては特定の方法に限定されない。例えば、ユーザ装置１００からの受信品質情報で干渉セルを特定してもよいし、基地局間で割り当て情報等を交換することで干渉セルを特定してもよい。
【００７４】
実施例１−１において、PFICH、PHICH、PDCCHを抑圧する場合の例を図３０、図３１に示す。この例では、図３０に示すようにIRC Type 1必要情報が記載されたDCIが、図３１に示すように接続基地局２００からユーザ装置１００に対して通知される。図３１に示すように、本例では、ユーザ装置１００に対する干渉セルが２つ（干渉セル＃１と干渉セル＃２）あるため、２つ分のIRC Type 1必要情報がユーザ装置１００に通知される。接続基地局２００が２つ分のIRC Type 1必要情報をユーザ装置１００に通知する場合、図３０に示すDCIフォーマットにおいて、各情報要素毎に干渉セル２つ分の情報を記載してもよいし、図３０に示すDCIに干渉セル１つ分のIRC Type 1必要情報を記載し、最後の情報の次から、図３０に示すDCIフォーマットと同じフォーマットのDCIを２つ目の干渉セルのIRC Type 1必要情報として記載するようにしてもよい。
【００７５】
図３０、図３１は、PFICH、PHICH、PDCCHを抑圧する場合の例を示しているが、ePDCCHについても、情報の内容が変ること以外は、PFICH、PHICH、PDCCHの場合と同じようにしてIRC Type 1必要情報を通知することで抑圧可能である。
【００７６】
なお、実施例１−１では、IRC Type 1を実行するために必要とする情報の全てをDCIに記載して制御チャネルもしくはデータチャネルで通知することの他、IRC Type 1を実行するために必要とする情報の一部をDCIに記載して制御チャネルもしくはデータチャネルで通知することとしてもよい。図１０や図２３、図２４等で説明したIRC Type 1必要情報のうち所定の情報については、通知しなくてもIRC Type 1を行うことができるからである。
【００７７】
図３２、図３３に、実施例１−１において、DCIに含めることが必須である情報と、含めることが必須ではない（任意である）情報を示す。任意である情報は、これを含めなくてもIRC Type 1を実行することが可能である。図３２、図３３は、他の実施の形態にもあてはまるものである。
【００７８】
＜実施例１−２＞
実施例１−２では、実施例１−１で説明した方法で全てのIRC Type1必要情報のうちの一部を送り、その他の情報（不足する情報）をユーザ装置１００において推定する。本実施例では、図３４に示すように、ユーザ装置１１０は、接続基地局から受信する制御情報を用いることで、干渉セルのPCFICHのMappingが計算可能であるため、ユーザ装置１１０において干渉セルのPCFICHの信号からCFIを推定する。つまり、干渉セルのPCFICHの信号を復調し、CFIをPCFICHの信号から読み取る。従って、本実施例では、IRC Type1必要情報のうちCFIは実施例１−１で説明した方法で送信する必要はない。なお、ユーザ装置１００において推定する情報はCFIに限られない、推定可能であればどの情報を推定してもよい。
【００７９】
＜装置構成について＞
図３５に、本実施の形態における通信システムの機能構成を表した機能ブロック図を示す。図３５には、通信システムの構成要素として、接続基地局２００、干渉基地局３００、ユーザ装置１００が示されている。なお、図３５は、干渉となるPFICH、PHICH、PDCCHを抑圧する例である。
【００８０】
図３５に示すように、接続基地局２００は、送信制御情報決定部２０１、送信制御情報通知部２０２、干渉送信制御情報受信部２０３、送信データ蓄積部２０４、送信信号生成部２０５、有線I/F２０６（又は無線I/F２０６）、無線I/F２０７を有する。各基地局は同様の構成であり、干渉基地局３００も接続基地局２００と同様の構成を有するが、干渉基地局３００には、便宜上、送信制御情報通知部３０２と干渉送信制御情報受信部３０３と有線I/F３０６（又は無線I/F３０６）のみが示されている。
【００８１】
送信制御情報決定部２０１は、所望信号の送信制御情報を決定する。送信制御情報通知部２０２は、IRC Type1受信処理に必要な所望信号の送信制御情報を他基地局へ通知する。IRC Type1受信処理に必要な所望信号の送信制御情報とは、図１０や図２３、図２４等を用いて説明したIRC Type1必要情報のことである。
【００８２】
干渉送信制御情報受信部２０３は、IRC Type1受信処理に必要な他基地局の送信制御情報を受信する。ここで受信した送信制御情報は、接続基地局２００がユーザ装置１００に通知する干渉信号の送信制御情報となる。
【００８３】
送信データ蓄積部２０４は、送信データを格納するメモリである。送信信号生成部２０５は、所望信号の送信制御情報に基づき、所望信号の送信制御情報、干渉信号の送信制御情報、及び所望送信データを含む所望送信信号を生成する。有線I/F２０６（又は無線I/F２０６）は、他の基地局との間で有線（又は無線）で情報の送受信を行う機能部である。無線I/F２０７は、ユーザ装置１００との間で無線で信号の送受信を行う機能部である。
【００８４】
次に、ユーザ装置１００について説明する。図３５に示すように、ユーザ装置１００は、所望信号チャネル推定部１０１、干渉信号チャネル推定部１０２、干渉送信制御情報推定部１０３、干渉PDCCH推定部１０４、ＩＲＣ受信処理部１０５、制御信号復調部（DCI）１０６、干渉信号制御情報蓄積部１０７、無線I/F１０８を有する。
所望信号チャネル推定部１０１は、受信信号から所望信号に対するチャネルを推定する。干渉信号チャネル推定部１０２は、干渉信号制御情報蓄積部１０７から受け取った干渉信号の制御情報を元に干渉信号に対するチャネルを推定する。干渉送信制御情報推定部１０３は、干渉信号制御情報蓄積部１０７から受け取った干渉信号の制御情報を元に、不足する情報（ＣＦＩなど）を推定する。ただし、不足する情報（ＣＦＩなど）の推定を行わない場合は、干渉送信制御情報推定部１０３を備えなくてもよい。
干渉ＰＤＣＣＨ推定部１０４は、干渉基地局３００のUE-IDとcommon/UE-specific search space情報を元に、干渉PDCCHの割り当てをBlind復号する。ＩＲＣ受信処理部１０５は、干渉信号制御情報蓄積部１０７、干渉ＰＤＣＣＨ推定部１０４、干渉送信制御情報推定部１０３から受け取った干渉信号の制御情報を元に、干渉となっている制御チャネルを特定し、ＩＲＣ受信ウェイトを生成する。制御信号復調部(DCI)１０６は、生成したＩＲＣ受信ウェイトを元に送信された制御情報を復調する。干渉信号制御情報蓄積部１０７は、制御信号復調部(DCI)１０６によって復調された制御情報の内、干渉信号の制御情報を格納するメモリである。
【００８５】
なお、図３５は、干渉となる制御チャネルの信号を抑圧するための構成を主に示すものである。
【００８６】
＜装置の動作について＞
次に、図３６に示すシーケンス図を参照して、図３５に示した構成を有する通信システムの動作例を説明する。
【００８７】
干渉基地局３００の送信制御情報決定部は、干渉基地局３００での所望信号（ユーザ装置１００に対する干渉信号）の送信制御情報を決定する（ステップ２０１）。ここで決定する送信制御情報は、ステップ２０７以降で説明するユーザ装置１００において干渉を抑圧する対象のサブフレームの次のサブフレームにおける送信制御情報である。
【００８８】
干渉基地局３００の送信制御情報通知部３０２は、当該送信制御情報を接続基地局２００に送信する（ステップ２０２）。
【００８９】
一方、接続基地局２００においては、送信制御情報決定部２０１が、接続基地局２００における所望信号の送信制御情報を決定する（ステップ２０３）。また、干渉送信制御情報受信部２０３が、ステップ２０２で干渉基地局３００から送信された送信制御情報を、干渉信号の送信制御情報として受信する。
【００９０】
接続基地局２００の送信信号生成部２０５は、送信データを決定して送信データ蓄積部２０４から取得し（ステップ２０４）、送信制御情報とともに送信信号を生成し（ステップ２０５）、送信信号をユーザ装置１００に送信する（ステップ２０６）。
【００９１】
上記送信信号を受信するユーザ装置１００においては、干渉信号チャネル推定部１０１がCRSによる干渉信号のチャネル推定を行う。そして、干渉信号の制御チャネルのMapping特定のための情報が不足している場合（ステップ２０８のYes）、干渉信号制御情報推定部１０３が不足情報（本実施形態ではCFI）を推定する（ステップ２０９）。なお、実施例１−１のように、干渉信号のチャネル推定のための情報が不足することを想定しない実施例の場合には、ステップ２０８、２０９は不要である。
【００９２】
干渉信号チャネル推定部１０２（干渉PDCCH推定部１０４でもよい）は、干渉PCFICH, PHICHのMappingを特定する（ステップ２１０）。そして、干渉PDCCH推定部１０４は、干渉PDCCHのcommon search space内の全UEの割り当てパターンを計算し（ステップ２１１）、干渉PDCCHのcommon search space内のBlind復号を全UE分行う（ステップ２１２）。更に、干渉PDCCH推定部１０４は、干渉PDCCHのUE-specific search space、及び全UEの割り当てパターンを計算し（ステップ２１３）、干渉PDCCHのUE-specific search space内のBlind復号を全UE分行う（ステップ２１４）。
【００９３】
一方、所望信号チャネル推定部１０１は、CRSにより所望信号のチャネル推定を行うとともに（ステップ２１５）、所望のPCFICH、PHICHのMappingを特定する（ステップ２１６）。そして、IRC受信処理部１０５は、干渉信号のチャネル推定値及びpower boosting情報等を用いたIRC受信処理を行い（ステップ２１７）、制御信号復調部１０６が、所望PCFICH, PHICH, PDCCHの復号を行う（ステップ２１８）。この復号により、次のサブフレームにおける干渉信号の制御情報が得られる。
【００９４】
第１の実施の形態の技術により、ユーザ装置において干渉低減能力の高いIRC Type 1を行うことが可能となり、ユーザ装置における干渉低減能力が向上する。
【００９５】
（第２の実施の形態）
第１の実施の形態は、制御チャネルもしくはデータチャネルでIRC Type1必要情報をダイナミックにユーザ装置１００に送ることを基本としていたが、本発明はこれに限られるわけではなく、IRC Type1必要情報をユーザ装置１００にセミスタティックに通知することとしてもよい。第２の実施の形態では、IRC Type1必要情報をユーザ装置にセミスタティックに通知する形態を説明する。
【００９６】
第２の実施の形態における全体のシステム構成は、第１の実施の形態と同様である。すなわち、接続基地局２００、ユーザ装置１００、干渉基地局３００が存在する構成である。
【００９７】
第２の実施の形態では、図３７に示すように、RRCシグナリング（signaling）を利用して、接続基地局２００からユーザ装置１００にIRC Type1必要情報を通知することが基本である。RRCシグナリングは、セミスタティックに行われるものであるから、RRCシグナリング情報を利用してIRC Type1必要情報を通知する第２の実施の形態は、セミスタティックにIRC Type1必要情報を通知する形態となる。
【００９８】
＜実施例２−１＞
さて、PDCCH/ePDCCHの抑圧のためには、干渉セルに接続する全てのUEのUE-IDが必要である。しかし、スケジューリングはsubframe毎にDynamicに行われるため、RRC signalingでは通知すべきUE-IDの変化に追従できず、特性が劣化する可能性がある。これを図３８を参照して説明する。
図３８に示すAの時点で、干渉セルに接続するＵＥは、UE#1とUE#2であり、この時点でRRC signalingがあり、その情報が接続セルでユーザ装置に通知される。Bの時点で干渉セルに接続するＵＥは、UE#1とUE#3になっているが、この時点ではRRC signalingのタイミングに至っておらず、この情報は接続セルに通知されない。その後、Cの時点において、干渉セルに接続するＵＥは、UE#3とUE#4になっており、この情報がRRC signalingで接続セルに通知される。このように、Bの時点で増加した干渉セルのUE#3は接続セルで通知されないので、接続セルにおいてUE#3向けのPDCCHは検出不可となる。
上記の問題を解消するために、本実施の形態では、方法１と方法２の２つの方法をとることができる。  
方法１は、全てのUE-IDをDynamicに通知する方法であり、これはUE-IDのみ第１の実施の形態を採用することに相当する。
方法２は、RRCの通知情報からのUE-IDの増分だけDynamicに通知する方法である。すなわち、図３８と同様の状況を示す図３９に示すとおり、Bの時点で増加しているUE#3のみをDynamicに事前のPDCCH (or ePDCCH, PDSCH)で通知する。なお、減少分についてはPDCCHの検出が出来なくなるだけなので通知の必要はない。方法２は、方法1よりもオーバヘッドが削減できる点で有利である。
なお、実施例２−１では、UE-IDを下り物理チャネルでダイナミックに通知することとしているが、IRCのための必要となる制御情報のうちの他の情報を下り物理チャネルでダイナミックに通知することとしてもよい。
【００９９】
＜実施例２−２＞
実施例２−２では、実施例２−１で説明した方法（あるいは、RRCのみを用いる本実施の形態の基本形）で全てのIRC Type1必要情報のうちの一部を送り、その他の情報（不足する情報）をユーザ装置１００において推定する。図４０に示すとおり、本実施例では、干渉セルのPCFICHのMappingが計算可能であるため、実施例１−２と同様に、ユーザ装置１１０において干渉セルのPCFICHの信号からCFIを推定する。従って、本実施例では、IRC Type1必要情報のうちCFIは実施例２−１等で説明した方法で送信する必要はない。なお、ユーザ装置１００において推定する情報はCFIに限られない、推定可能であればどの情報でもよい。
【０１００】
＜装置構成について＞
図４１に、本実施の形態における通信システムの機能構成を表した機能ブロック図を示す。図４１には、通信システムの構成要素として、接続基地局、干渉基地局、ユーザ装置が示されている。
【０１０１】
図４１に示すように、接続基地局２００は、送信制御情報決定部２１１、送信制御情報通知制御部（RRC)２１２、送信制御情報通知制御部（DCI)２１３、干渉送信制御情報受信部（RRC)２１４、干渉送信制御情報受信部（DCI)２１５、送信データ蓄積部２１６、送信信号生成部２１７、有線I/F２１８（又は無線I/F２１８）、無線I/F２１９を有する。各基地局は同様の構成であり、干渉基地局３００も接続基地局２００と同様の構成を有するが、干渉基地局３００には、便宜上、送信制御情報通知制御部（DCI）３１２、送信制御情報通知制御部（RRC）３１３、干渉送信制御情報受信部（DCI)３１５、干渉送信制御情報受信部（RRC)３１４、有線I/F３１８（無線I/F３１８）のみが示されている。
【０１０２】
送信制御情報決定部２１１は、所望信号の送信制御情報を決定する。送信制御情報通知制御部（RRC）２１２は、IRC Type1受信処理に必要な所望信号の送信制御情報のうち、RRCにて通知する情報を他基地局へ通知する。IRC Type1受信処理に必要な所望信号の送信制御情報とは、図１０や図２３、図２４等を用いて説明したIRC Type1必要情報のことである。
【０１０３】
送信制御情報通知制御部（DCI）２１３は、IRC Type1受信処理に必要な所望信号の送信制御情報のうち、DCIにて通知する情報を他基地局へ通知する。なお、送信制御情報通知部（DCI）２１３は、DCIでの通知を行わない場合は不要である。
【０１０４】
干渉送信制御受信部(RRC)２１４は、干渉基地局３００からRRCにて通知する送信制御情報を受信する。干渉送信制御受信部(DCI)２１５は、干渉基地局３００からDCIにて通知する送信制御情報を受信する。なお、干渉送信制御受信部(DCI)２１５は、DCIでの通知を行わない場合は不要である。
【０１０５】
送信データ蓄積部２１６は、送信データを格納するメモリである。送信信号生成部２１７は、所望送信制御に基づき、所望信号の送信制御情報、干渉信号の送信制御情報、所望送信データを含む所望送信信号を生成する。有線I/F２１８（又は無線I/F２１８）は、他の基地局との間で有線（又は無線）で情報の送受信を行う機能部である。無線I/F２１９は、ユーザ装置１００との間で無線で信号の送受信を行う機能部である。
【０１０６】
次に、ユーザ装置１００について説明する。図４１に示すように、ユーザ装置１００は、所望信号チャネル推定部１１１、干渉信号チャネル推定部１１２、干渉送信制御情報推定部１１３、干渉ＰＤＣＣＨ推定部１１４、ＩＲＣ受信処理部１１５、制御信号復調部(DCI)１１６、干渉制御情報蓄積部(DCI)１１７、データ復調部１１８、干渉制御情報蓄積部（RRC）１１９、無線I／F１２０を有する。
【０１０７】
所望信号チャネル推定部１１は、受信信号から所望信号に対するチャネルを推定する。干渉信号チャネル推定部１１２は、干渉制御情報蓄積部(RRC)１１９から受け取った干渉信号の制御情報を元に干渉信号に対するチャネルを推定する。干渉送信制御情報推定部１１３は、干渉制御情報蓄積部(RRC)１１９から受け取った干渉信号の制御情報を元に、不足する情報（ＣＦＩなど）を推定する。なお。不足する情報（ＣＦＩなど）の推定を行わない実施例の場合、干渉送信制御情報推定部１１３は備えなくてもよい。
【０１０８】
干渉ＰＤＣＣＨ推定部１１４は、干渉基地局のUE-IDとcommon/UE-specific search space情報を元に、干渉PDCCHの割り当てをBlind復号する。ＩＲＣ受信処理部１１５は、干渉制御情報蓄積部(RRC/DCI)１１７、１１９、干渉ＰＤＣＣＨ推定部１１４、干渉送信制御情報推定部１１３から受け取った干渉信号の制御情報を元に、干渉となっている制御チャネルを特定し、ＩＲＣ受信ウェイトを生成する。
【０１０９】
制御信号復調部(DCI)１１６は、生成したＩＲＣ受信ウェイトを元に送信された制御情報を復調する。干渉制御情報蓄積部(DCI)１１７は、制御信号復調部(DCI)１１６によって復調された制御情報の内、干渉信号の情報を格納するメモリである。なお、DCIでの干渉信号の情報の通知を行わない場合、干渉制御情報蓄積部(DCI)１１７を備えなくてもよい。
【０１１０】
データ復調部１１８は、制御信号復調部(DCI)によって復調された制御情報を元に、データ信号を復調する。干渉制御情報蓄積部（RRC）１１９は、ＲＲＣで通知された干渉信号の制御情報を格納するメモリである。
【０１１１】
なお、図４１は、干渉となる制御チャネルの信号を抑圧するための構成を主に示すものである。
【０１１２】
＜装置の動作について＞
次に、図４２、図４３に示すシーケンス図を参照して、図４１に示した構成を有する通信システムの動作を説明する。
【０１１３】
RRCシグナリングのフェーズにおいて、干渉基地局３００の送信制御情報通知制御部（RRC)３１２は、RRCで通知するための所望信号（ユーザ装置１００に対する干渉信号）の送信制御情報を接続基地局２００に通知し、接続基地局２００の干渉送信制御情報受信部（RRC)２１４が当該送信制御情報を受信する（ステップ３０１）。接続基地局２００は、RRCシグナリングで、受信した干渉信号の送信制御情報をユーザ装置１００に通知する（ステップ３０２）。以下の処理は、サブフレーム毎に行われる。
【０１１４】
干渉基地局３００の送信制御情報決定部は、次サブフレームの所望信号（ユーザ装置１００に対する干渉信号）の送信制御情報（本例では、UE-ID）を決定する（ステップ３０３）。干渉基地局３００の送信制御情報通知制御部（DCI)３１３は、当該送信制御情報を接続基地局２００に送信する（ステップ３０４）。ただし、DCIで干渉信号の送信制御情報をユーザ装置１００に通知しない場合、ステップ３０４は不要である。
【０１１５】
一方、接続基地局２００においては、送信制御情報決定部２１１が、接続基地局２００における所望信号の送信制御情報を決定する（ステップ３０５）。また、ステップ３０４を行う場合、干渉送信制御情報受信部（DCI)２１５が、干渉基地局３００から送信された送信制御情報を、DCIで通知するための干渉信号の送信制御情報として受信する。
【０１１６】
接続基地局２００の送信信号生成部２１７は、送信データを決定して送信データ蓄積部２１６から取得し（ステップ３０６）、送信制御情報とともに送信信号を生成し（ステップ３０７）、送信信号をユーザ装置１００に送信する（ステップ３０８）。
【０１１７】
上記送信信号を受信したユーザ装置１００においては、干渉信号チャネル推定部１１２が干渉信号のチャネル推定(CRS based)を行う（ステップ３０９）。そして、干渉信号の制御チャネルのMapping特定のための情報が不足している場合（ステップ３１０のYes）、干渉送信制御情報推定部１１３が不足情報(本例ではCFI)を推定する（ステップ３１１）。また、ステップ３１２において、干渉PDCCH推定部１１４等が干渉PCFICH、PHICのMappingを特定する。
【０１１８】
ここで、前のサブフレームにて、UE-IDがDynamicに通知されている場合（ステップ３１３のYes）、干渉PDCCH推定部１１４は干渉セルのUE-IDを更新する（ステップ３１４）。
【０１１９】
図４３に進み、干渉PDCCH推定部１１４は、干渉PDCCHのcommon search space内の全UEの割り当てパターンを計算し（ステップ３１５）、干渉PDCCHのcommon search space内のBlind復号(全UE分)を行う（ステップ３１６）。更に、干渉PDCCH推定部１１４は、干渉PDCCHのUE-specific search space、及び全UEの割り当てパターンを計算し（ステップ３１７）、干渉PDCCHのcommon search space内のBlind復号(全UE分)を行う（ステップ３１８）。
【０１２０】
一方、所望信号チャネル推定部１１１は所望信号のチャネル推定(CRS based)を行う（ステップ３１９）。また、制御信号復調部１１６等が所望のPCFICH, PHICHのMappingを特定する（ステップ３２０）。
【０１２１】
そして、ＩＲＣ受信処理部１１５は、干渉信号のチャネル推定値及びpower boosting情報等を用いたIRC受信処理を行い（ステップ３２１）、制御信号復調部１１６が所望PCFICH、PHICH、PDCCHの復号を行う（ステップ３２２）。
【０１２２】
第２の実施の形態の技術により、RRCでのシグナリング等を用いることにより、ユーザ装置において干渉低減能力の高いIRC Type 1を行うことが可能となり、ユーザ装置における干渉低減能力が向上する。
【０１２３】
（第３の実施の形態）
ユーザ装置１００が、SIC（逐次干渉キャンセル）を行う場合を第３の実施の形態として説明する。前述したとおり、SICにおいては、全干渉信号に対するレプリカ信号を生成することが必要であり、そのためには、まず、各干渉信号に対してのチャネル推定を行うための情報が必要である。これは、前述したIRC Type 1で必要とする情報と同じである。それに加え、図４４（図２４と同様の図）に示したように、PHICH sequenceが追加で必要である。
【０１２４】
本実施の形態において、各干渉信号に対してのチャネル推定を行うための情報については、第１の実施の形態、及び、第２の実施の形態で通知する情報と同じであり、第１の実施の形態、もしくは第２の実施の形態での方法と同じ方法で通知する。そして、追加的に、PHICH sequenceを通知すればよい。
【０１２５】
追加的に通知するには、例えば、第１の実施の形態と同じように、制御チャネルもしくはデータチャネルにより追加情報をダイナミックに通知する方法を用いることができる。また、第２の実施の形態と同様に、RRCシグナリングでSemi-staticに通知してもよい。
【０１２６】
以下、第１の実施の形態と同様に、SICに必要な情報をダイナミックに通知する場合を実施例３−１とし、第２の実施の形態と同様に、SICに必要な情報をRRCシグナリングを用いて通知する場合を実施例３−２とし、それぞれについて装置構成と動作フローの例を説明する。
（実施例３−１、第１の実施の形態と同様にダイナミックに通知する場合）
＜装置構成について＞
図４５に、本実施の形態における通信システムの機能構成を表した機能ブロック図を示す。図４５には、通信システムの構成要素として、接続基地局２００、干渉基地局３００、ユーザ装置１００が示されている。なお、図４３は、干渉となるPFICH、PHICH、PDCCHをキャンセルする例である。
【０１２７】
図４５に示すように、接続基地局２００は、送信制御情報決定部２３１、送信制御情報通知部２３２、干渉送信制御情報受信部２３３、送信データ蓄積部２３４、送信信号生成部２３５、有線I/F２３６（又は無線I/F２３６）、無線I/F２３７を有する。各基地局は同様の構成であり、干渉基地局３００も接続基地局２００と同様の構成を有するが、干渉基地局３００には、便宜上、送信制御情報通知部３３２と干渉送信制御情報受信部３３３と有線I/F３３６（又は無線I/F３３６）のみが示されている。
【０１２８】
送信制御情報決定部２３１は、所望信号の送信制御情報を決定する。送信制御情報通知部２３２は、SIC受信処理に必要な所望信号の送信制御情報を他基地局へ通知する。SIC受信処理に必要な所望信号の送信制御情報とは、図１０や図２３、図２４等を用いて説明したSICに必要な情報のことである。
【０１２９】
干渉送信制御情報受信部２３３は、SIC受信処理に必要な他基地局の送信制御情報を受信する。ここで受信した送信制御情報は、接続基地局２００がユーザ装置１００に通知する干渉信号の送信制御情報となる。
【０１３０】
送信データ蓄積部２３４は、送信データを格納するメモリである。送信信号生成部２３５は、所望信号の送信制御情報に基づき、所望信号の送信制御情報、干渉信号の送信制御情報、及び所望送信データを含む所望送信信号を生成する。有線I/F２３６（又は無線I/F２３６）は、他の基地局との間で有線（又は無線）で情報の送受信を行う機能部である。無線I/F２３７は、ユーザ装置１００との間で無線で信号の送受信を行う機能部である。
【０１３１】
次に、ユーザ装置１００について説明する。図４５に示すように、ユーザ装置１００は、所望信号チャネル推定部１３１、干渉信号チャネル推定部１３２、干渉送信制御情報推定部１３３、干渉PDCCH推定部１３４、SIC受信処理部１３５、制御信号復調部（DCI）１３６、干渉信号制御情報蓄積部１３７、無線I/F１３８を有する。
所望信号チャネル推定部１３１は、受信信号から所望信号に対するチャネルを推定する。干渉信号チャネル推定部１３２は、干渉信号制御情報蓄積部１３７から受け取った干渉信号の制御情報を元に干渉信号に対するチャネルを推定する。干渉送信制御情報推定部１３３は、干渉信号制御情報蓄積部１３７から受け取った干渉信号の制御情報を元に、不足する情報（ＣＦＩなど）を推定する。ただし、不足する情報（ＣＦＩなど）の推定を行わない場合は、干渉送信制御情報推定部１３３を備えなくてもよい。
干渉ＰＤＣＣＨ推定部１３４は、干渉基地局３００のUE-IDとcommon/UE-specific search space情報を元に、干渉PDCCHの割り当てをBlind復号する。SIC受信処理部１３５は、干渉信号制御情報蓄積部１３７、干渉ＰＤＣＣＨ推定部１３４、干渉送信制御情報推定部１３３から受け取った干渉信号の制御情報を元に、干渉となっている制御チャネルを特定及び復調し、SIC受信処理を行う。制御信号復調部(DCI)１０６は、SIC受信処理部１３５から受け取った所望信号成分に対して制御情報を復調する。干渉信号制御情報蓄積部１３７は、制御信号復調部(DCI)１３６によって復調された制御情報の内、干渉信号の制御情報を格納するメモリである。
【０１３２】
なお、図４５は、干渉となる制御チャネルの信号をキャンセルするための構成を主に示すものである。
【０１３３】
＜装置の動作について＞
次に、図４６、図４７に示すシーケンス図を参照して、図４５に示した構成を有する通信システムの動作の例を説明する。
【０１３４】
干渉基地局３００の送信制御情報決定部は、干渉基地局３００での所望信号（ユーザ装置１００に対する干渉信号）の送信制御情報を決定する（ステップ４０１）。ここで決定する送信制御情報は、ステップ４０７以降で説明するユーザ装置１００において干渉をキャンセルする対象のサブフレームの次のサブフレームにおける送信制御情報である。
干渉基地局３００の送信制御情報通知部３３２は、当該送信制御情報を接続基地局２００に送信する（ステップ４０２）。
【０１３５】
一方、接続基地局２００においては、送信制御情報決定部２３１が、接続基地局２００における所望信号の送信制御情報を決定する（ステップ４０３）。また、干渉送信制御情報受信部２３３が、ステップ４０２で干渉基地局３００から送信された送信制御情報を、干渉信号の送信制御情報として受信する。
【０１３６】
接続基地局２００の送信信号生成部２３５は、送信データを決定して送信データ蓄積部２３４から取得し（ステップ４０４）、送信制御情報とともに送信信号を生成し（ステップ４０５）、送信信号をユーザ装置１００に送信する（ステップ４０６）。
【０１３７】
ユーザ装置１００においては、所望信号チャネル推定部１３１等が、所望のPCFICH, PHICHのMappingを特定し（ステップ４０７）、所望信号のチャネル推定(CRS based)を行う（ステップ４０８）。そして、SIC受信処理部１３５は干渉信号の減算順の決定を行う（ステップ４０９）。
【０１３８】
また、干渉信号チャネル推定部１３２がCRSによる干渉信号のチャネル推定を行う（４１０）。そして、干渉信号の制御チャネルのMapping特定のための情報が不足している場合（ステップ４１１のYes）、干渉信号制御情報推定部１３３が不足情報（本実施形態ではCFI）を推定する（ステップ４１２）。なお、干渉信号のチャネル推定のための情報が不足することを想定しない実施例の場合には、ステップ４１１、４１２は不要である。
【０１３９】
干渉信号チャネル推定部１３２（干渉PDCCH推定部１３４でもよい）は、干渉PCFICH, PHICHのMappingを特定し、復号を行う（ステップ４１３）。そして、干渉PDCCH推定部１３４は、干渉PDCCHのcommon search space内の全UEの割り当てパターンを計算し（ステップ４１４）、干渉PDCCHのcommon search space内のBlind復号を全UE分行う（ステップ４１５）。更に、干渉PDCCH推定部１３４は、干渉PDCCHのUE-specific search space、及び全UEの割り当てパターンを計算し（ステップ４１６）、干渉PDCCHのUE-specific search space内のBlind復号を全UE分行う（ステップ４１７）。
【０１４０】
SIC受信処理部１３５は、干渉レプリカ信号の生成及び減算を行う（ステップ４１８）。そして、全ての干渉が減算済みでなければ（ステップ４１９のNo)、ステップ４１１に戻り、全ての干渉が減算済みであれば（ステップ４１９のYes)、ステップ４２０に進み、制御信号復調部１３６が、所望PCFICH、PHICH、PDCCHの復号を行う。
（実施例３−２、第２の実施の形態と同様にセミスタティックに通知する場合）
＜装置構成について＞
図４７に、実施例３−２における通信システムの機能構成を表した機能ブロック図を示す。図４７には、通信システムの構成要素として、接続基地局、干渉基地局、ユーザ装置が示されている。
【０１４１】
図４７に示すように、接続基地局２００は、送信制御情報決定部２４１、送信制御情報通知制御部（RRC)２４２、送信制御情報通知制御部（DCI)２４３、干渉送信制御情報受信部（RRC)２４４、干渉送信制御情報受信部（DCI)２４５、送信データ蓄積部２４６、送信信号生成部２４７、有線I/F２４８（又は無線I/F２４８）、無線I/F２４９を有する。各基地局は同様の構成であり、干渉基地局３００も接続基地局２００と同様の構成を有するが、干渉基地局３００には、便宜上、送信制御情報通知制御部（DCI）３４２、送信制御情報通知制御部（RRC）３４３、干渉送信制御情報受信部（DCI)３４５、干渉送信制御情報受信部（RRC)３４４、有線I/F３４８（無線I/F３４８）のみが示されている。
【０１４２】
送信制御情報決定部２４１は、所望信号の送信制御情報を決定する。送信制御情報通知制御部（RRC）２４２は、SIC受信処理に必要な所望信号の送信制御情報のうち、RRCにて通知する情報を他基地局へ通知する。SIC受信処理に必要な所望信号の送信制御情報とは、図１０や図２３、図２４等を用いて説明したSICに必要な情報のことである。
【０１４３】
送信制御情報通知制御部（DCI）２４３は、SIC受信処理に必要な所望信号の送信制御情報のうち、DCIにて通知する情報を他基地局へ通知する。なお、送信制御情報通知部（DCI）２４３は、DCIでの通知を行わない場合は不要である。
【０１４４】
干渉送信制御受信部(RRC)２４４は、干渉基地局３００からRRCにて通知する送信制御情報を受信する。干渉送信制御受信部(DCI)２４５は、干渉基地局３００からDCIにて通知する送信制御情報を受信する。なお、干渉送信制御受信部(DCI)２４５は、DCIでの通知を行わない場合は不要である。
【０１４５】
送信データ蓄積部２４６は、送信データを格納するメモリである。送信信号生成部２４７は、所望送信制御に基づき、所望信号の送信制御情報、干渉信号の送信制御情報、所望送信データを含む所望送信信号を生成する。有線I/F２４８（又は無線I/F２４８）は、他の基地局との間で有線（又は無線）で情報の送受信を行う機能部である。無線I/F２４９は、ユーザ装置１００との間で無線で信号の送受信を行う機能部である。
【０１４６】
次に、ユーザ装置１００について説明する。図４７に示すように、ユーザ装置１００は、所望信号チャネル推定部１４１、干渉信号チャネル推定部１４２、干渉送信制御情報推定部１４３、干渉ＰＤＣＣＨ推定部１４４、SIC受信処理部１４５、制御信号復調部(DCI)１４６、干渉制御情報蓄積部(DCI)１４７、データ復調部１４８、干渉制御情報蓄積部（RRC）１４９、無線I／F１５０を有する。
【０１４７】
所望信号チャネル推定部１４２は、受信信号から所望信号に対するチャネルを推定する。干渉信号チャネル推定部１４２は、干渉制御情報蓄積部(RRC)１４９から受け取った干渉信号の制御情報を元に干渉信号に対するチャネルを推定する。干渉送信制御情報推定部１４３は、干渉制御情報蓄積部(RRC)１４９から受け取った干渉信号の制御情報を元に、不足する情報（ＣＦＩなど）を推定する。なお。不足する情報（ＣＦＩなど）の推定を行わない場合、干渉送信制御情報推定部１４３は備えなくてもよい。
【０１４８】
干渉ＰＤＣＣＨ推定部１４４は、干渉基地局のUE-IDとcommon/UE-specific search space情報を元に、干渉PDCCHの割り当てをBlind復号する。SIC受信処理部１４５は、干渉制御情報蓄積部(RRC/DCI)１４７、１４９、干渉ＰＤＣＣＨ推定部１４４、干渉送信制御情報推定部１４３から受け取った干渉信号の制御情報を元に、干渉となっている制御チャネルを特定及び復号し、SIC受信処理を行う。
【０１４９】
制御信号復調部(DCI)１４６は、SIC受信処理部１４５から受け取った所望信号成分に対して制御情報を復調する。干渉制御情報蓄積部(DCI)１４７は、制御信号復調部(DCI)１４６によって復調された制御情報の内、干渉信号の情報を格納するメモリである。なお、DCIでの干渉信号の情報の通知を行わない場合、干渉制御情報蓄積部(DCI)１４７を備えなくてもよい。
【０１５０】
データ復調部１４８は、制御信号復調部(DCI)１４６によって復調された制御情報を元に、データ信号を復調する。干渉制御情報蓄積部（RRC）１４９は、ＲＲＣで通知された干渉信号の制御情報を格納するメモリである。
【０１５１】
なお、図４７は、干渉となる制御チャネルの信号をキャンセルするための構成を主に示すものである。
【０１５２】
＜装置の動作について＞
次に、図４８、図４９に示すシーケンス図を参照して、図４７に示した構成を有する通信システムの動作を説明する。
【０１５３】
RRCシグナリングのフェーズにおいて、干渉基地局３００の送信制御情報通知制御部（RRC)３４２は、RRCで通知するための所望信号（ユーザ装置１００に対する干渉信号）の送信制御情報を接続基地局２００に通知し、接続基地局２００の干渉送信制御情報受信部（RRC)２４４が当該送信制御情報を受信する（ステップ５０１）。接続基地局２００は、RRCシグナリングで、受信した干渉信号の送信制御情報をユーザ装置１００に通知する（ステップ５０２）。以下の処理は、サブフレーム毎に行われる。
【０１５４】
干渉基地局３００の送信制御情報決定部は、次サブフレームの所望信号（ユーザ装置１００に対する干渉信号）の送信制御情報（本例では、UE-ID）を決定する（ステップ５０３）。干渉基地局３００の送信制御情報通知制御部（DCI)３４３は、当該送信制御情報を接続基地局２００に送信する（ステップ５０４）。ただし、DCIで干渉信号の送信制御情報をユーザ装置１００に通知しない場合、ステップ５０４は不要である。
【０１５５】
一方、接続基地局２００においては、送信制御情報決定部２４１が、接続基地局２００における所望信号の送信制御情報を決定する（ステップ５０５）。また、ステップ５０４を行う場合、干渉送信制御情報受信部（DCI)２４５が、干渉基地局３００から送信された送信制御情報を、DCIで通知するための干渉信号の送信制御情報として受信する。
【０１５６】
接続基地局２００の送信信号生成部２４７は、送信データを決定して送信データ蓄積部２４６から取得し（ステップ５０６）、送信制御情報とともに送信信号を生成し（ステップ５０７）、送信信号をユーザ装置１００に送信する（ステップ５０８）。
【０１５７】
ユーザ装置１００においては、所望信号チャネル推定部１４１が、所望信号のチャネル推定(CRS based)を行い（ステップ５０９）、所望のPCFICH, PHICHのMappingを特定する（ステップ５１０）。また、SIC受信処理部１４５は、干渉信号の減算順の決定を行う（ステップ５１１）。
【０１５８】
図４９に進み、干渉信号チャネル推定部１４２が干渉信号のチャネル推定(CRS based)を行う（ステップ５１２）。そして、干渉信号の制御チャネルのMapping特定のための情報が不足している場合（ステップ５１３のYes）、干渉送信制御情報推定部１４３が不足情報(本例ではCFI)を推定する（ステップ５１４）。また、ステップ５１５において、干渉PDCCH推定部１４４等が干渉PCFICH、PHICのMappingを特定し、復号を行う（ステップ５１５）。
【０１５９】
ここで、前のサブフレームにて、UE-IDがDynamicに通知されている場合（ステップ５１６のYes）、干渉PDCCH推定部１４４は干渉セルのUE-IDを更新する（ステップ５１７）。
【０１６０】
干渉PDCCH推定部１４４は、干渉PDCCHのcommon search space内の全UEの割り当てパターンを計算し（ステップ５１８）、干渉PDCCHのcommon search space内のBlind復号(全UE分)を行う（ステップ５１９）。更に、干渉PDCCH推定部１４４は、干渉PDCCHのUE-specific search space、及び全UEの割り当てパターンを計算し（ステップ５２０）、干渉PDCCHのcommon search space内のBlind復号(全UE分)を行う（ステップ５２１）。
【０１６１】
SIC受信処理部１４５は、干渉レプリカ信号の生成及び減算を行う（ステップ５２２）。そして、全ての干渉が減算済みでなければ（ステップ５２３のNo)、ステップ５１３に戻り、全ての干渉が減算済みであれば（ステップ５２３のYes)、ステップ５２４に進み、制御信号復調部１４６が、所望PCFICH、PHICH、PDCCHの復号を行う。
【０１６２】
第３の実施の形態の技術により、ユーザ装置において干渉低減能力の高いSICを行うことが可能となり、ユーザ装置において干渉低減能力が向上する。
【０１６３】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥ及び基地局ｅＮnodeＢは機能的なブロック図を用いて説明されたが、そのような装置はハードウェアで、ソフトウェアで又はそれらの組み合わせで実現されてもよい。本発明に従って動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【０１６４】
１００  ユーザ装置
１０１  所望信号チャネル推定部
１０２  干渉信号チャネル推定部
１０３  干渉送信制御情報推定部
１０４  干渉PDCCH推定部
１０５  ＩＲＣ受信処理部
１０６  制御信号復調部（DCI）
１０７  干渉信号制御情報蓄積部
１０８  無線I/F
１１１  所望信号チャネル推定部
１１２  干渉信号チャネル推定部
１１３  干渉送信制御情報推定部
１１４  干渉ＰＤＣＣＨ推定部
１１５  ＩＲＣ受信処理部
１１６  制御信号復調部(DCI)
１１７  干渉制御情報蓄積部(DCI)
１１８  データ復調部
１１９  干渉制御情報蓄積部（RRC）
１２０  無線I／F
１３１  所望信号チャネル推定部
１３２  干渉信号チャネル推定部
１３３  干渉送信制御情報推定部
１３４  干渉PDCCH推定部
１３５  SIC受信処理部
１３６  制御信号復調部（DCI）
１３７  干渉信号制御情報蓄積部
１３８  無線I/F
１４１  所望信号チャネル推定部
１４２  干渉信号チャネル推定部
１４３  干渉送信制御情報推定部
１４４  干渉ＰＤＣＣＨ推定部
１４５  SIC受信処理部
１４６  制御信号復調部(DCI)
１４７  干渉制御情報蓄積部(DCI)
１４８  データ復調部
１４９  干渉制御情報蓄積部（RRC）
１５０  無線I／F
２００  接続基地局
２０１  送信制御情報決定部
２０２  送信制御情報通知部
２０３  干渉送信制御情報受信部
２０４  送信データ蓄積部
２０５  送信信号生成部
２０６  有線I/F（又は無線I/F）
２０７  無線I/F
２１１  送信制御情報決定部
２１２  送信制御情報通知制御部（RRC)
２１３  送信制御情報通知制御部（DCI)
２１４  干渉送信制御情報受信部（RRC)
２１５  干渉送信制御情報受信部（DCI)
２１６  送信データ蓄積部
２１７  送信信号生成部
２１８  有線I/F（又は無線I/F）
２１９  無線I/F
２３１  送信制御情報決定部
２３２  送信制御情報通知部
２３３  干渉送信制御情報受信部
２３４  送信データ蓄積部
２３５  送信信号生成部
２３６  有線I/F（又は無線I/F）
２３７  無線I/F
２４１  送信制御情報決定部
２４２  送信制御情報通知制御部（RRC)
２４３  送信制御情報通知制御部（DCI)
２４４  干渉送信制御情報受信部（RRC)
２４５  干渉送信制御情報受信部（DCI)
２４６  送信データ蓄積部
２４７  送信信号生成部
２４８  有線I/F（又は無線I/F）
２４９  無線I/F
３００  干渉基地局
３０２  送信制御情報通知部
３０３  干渉送信制御情報受信部
３０６  有線I/F（又は無線I/F）
３１２  送信制御情報通知制御部（DCI）
３１３  送信制御情報通知制御部（RRC）
３１５  干渉送信制御情報受信部（DCI)
３１４  干渉送信制御情報受信部（RRC)
３１８  有線I/F（無線I/F）
３３２  送信制御情報通知部
３３３  干渉送信制御情報受信部
３３６  有線I/F（又は無線I/F）
３４２  送信制御情報通知制御部（DCI）
３４３  送信制御情報通知制御部（RRC）
３４５  干渉送信制御情報受信部（DCI)
３４４  干渉送信制御情報受信部（RRC)
３４８  有線I/F（無線I/F）
【図１】
2014150387.tif 000006
【図２】
2014150387.tif 000007
【図３】
2014150387.tif 000008
【図４】
2014150387.tif 000009
【図５】
2014150387.tif 000010
【図６】
2014150387.tif 000011
【図７】
2014150387.tif 000012
【図８】
2014150387.tif 000013
【図９】
2014150387.tif 000014
【図１０】
2014150387.tif 000015
【図１１】
2014150387.tif 000016
【図１２】
2014150387.tif 000017
【図１３】
2014150387.tif 000018
【図１４】
2014150387.tif 000019
【図１５】
2014150387.tif 000020
【図１６】
2014150387.tif 000021
【図１７】
2014150387.tif 000022
【図１８】
2014150387.tif 000023
【図１９】
2014150387.tif 000024
【図２０】
2014150387.tif 000025
【図２１】
2014150387.tif 000026
【図２２】
2014150387.tif 000027
【図２３】
2014150387.tif 000028
【図２４】
2014150387.tif 000029
【図２５】
2014150387.tif 000030
【図２６】
2014150387.tif 000031
【図２７】
2014150387.tif 000032
【図２８】
2014150387.tif 000033
【図２９】
2014150387.tif 000034
【図３０】
2014150387.tif 000035
【図３１】
2014150387.tif 000036
【図３２】
2014150387.tif 000037
【図３３】
2014150387.tif 000038
【図３４】
2014150387.tif 000039
【図３５】
2014150387.tif 000040
【図３６】
2014150387.tif 000041
【図３７】
2014150387.tif 000042
【図３８】
2014150387.tif 000043
【図３９】
2014150387.tif 000044
【図４０】
2014150387.tif 000045
【図４１】
2014150387.tif 000046
【図４２】
2014150387.tif 000047
【図４３】
2014150387.tif 000048
【図４４】
2014150387.tif 000049
【図４５】
2014150387.tif 000050
【図４６】
2014150387.tif 000051
【図４７】
2014150387.tif 000052
【図４８】
2014150387.tif 000053
【図４９】
2014150387.tif 000054